(57)【要約】  【課題】  スプリングホルダーによってコイルスプリングを圧縮状態で保持したまま投与操作可能であり、投与終了後にさらに注射筒を押し込み操作するとスプリングホルダーによるコイルスプリングの保持が解除される注射器において、投与操作中に不慮にスプリングホルダーによるコイルスプリングの保持が解除されてしまうことを防止する。  【解決手段】  スプリングホルダー１７は、薬液の投与終了後に注射筒２をカバー６に対して先端側に押し込むことにより、係止片１７ｂがカバー６に係止している係止位置からカバー６に対して先端側に移動可能に構成され、カバー６の内面には、スプリングホルダー１７が係止位置から先端側に移動するとカバー６に対して係止しないように係止片１７ｂを径方向に変形させる案内面Ｓが設けられている。【選択図】  図１
2019005399.tif 000002
【特許請求の範囲】
【請求項１】
先端側が開口されるとともにその内部空間に薬液が充填される注射筒と、
前記薬液を密封するように前記注射筒に嵌着されるガスケットと、
少なくとも薬液投与時に前記ガスケットを貫通する基端部を有する注射針と、
前記ガスケットに取り付けられるとともに前記注射針を保持するプランジャと、
内部に前記注射針の先端部を収容する収納位置と、先端部から前記注射針の先端部が突出する投与位置との間で、前記注射針に対して軸方向に移動可能なカバーと、
前記カバーを前記収納位置に向けて付勢するためのコイルスプリングと、
該コイルスプリングを圧縮状態で保持するためのスプリングホルダーとを備え、
該スプリングホルダーは、前記カバーに軸方向に係止する係止片を有し、該係止片が前記カバーに軸方向に係止している前記スプリングホルダーと前記カバーとの間に圧縮状態で前記コイルスプリングが保持され、薬液の投与終了後に前記注射筒を前記カバーに対して先端側に押し込むことにより前記係止片と前記カバーとの係止が解除されて前記コイルスプリングが解放され、該コイルスプリングにより前記カバーが前記収納位置に向けて付勢される注射器において、
前記スプリングホルダーは、薬液の投与終了後に前記注射筒を前記カバーに対して先端側に押し込むことにより前記係止片が前記カバーに係止している係止位置から前記カバーに対して先端側に移動可能に構成され、
前記カバーの内面には、前記スプリングホルダーが前記係止位置から前記カバーに対して先端側に移動すると前記カバーに対して係止しないように前記係止片を径方向に変形させる案内面が設けられていることを特徴とする注射器。
【請求項２】
請求項１に記載の注射器において、前記カバーは、前記注射筒に外嵌される円筒状本体部と、該円筒状本体部の先端部から径方向内方に延びる内向きフランジ部とを一体に備え、前記円筒状本体部は先端側に向く係止面を有し、前記スプリングホルダーは前記円筒状本体部の内周側且つ前記内向きフランジ部の後方に設けられ、前記スプリングホルダーの後端面と前記注射筒の先端面とは薬液の投与終了時に当接するよう軸方向に対向しており、前記コイルスプリングは前記内向きフランジ部と前記スプリングホルダーとの間に設けられ、前記係止片は、前記円筒状本体部の前記係止面に先端側から係止可能であるとともに、径方向内方に変形することで前記円筒状本体部の係止面に係止しなくなる、注射器。
【発明の詳細な説明】
【技術分野】
【０００１】
本発明は、注射器に関する。
【背景技術】
【０００２】
本願出願人は、バイオ医薬品の抗がん剤や抗リウマチ薬などを患者が自宅で注射する際に誤って針で傷つける事故の発生を未然防止するために、注射の前後で針を本体に収納できる使い捨て注射器の開発を行っており、その成果を下記の特許文献１及び２に開示している。
【先行技術文献】
【特許文献】
【０００３】
【特許文献１】特開２０１４−２１２８３２号公報
【特許文献２】特開２０１６−２０２４３８号公報
【０００４】
上記特許文献１及び２に開示した注射器では、使用前の保管時はカバー及びプランジャ内に注射針が収納された状態とされている。保管時にはカバーに対するプランジャの押し込み操作ができないようにカバーとプランジャとが相互に軸方向に突き合わされている。使用時にカバーとプランジャとを相対回転して、カバー及びプランジャを軸方向に縮小させることによって注射針の先端がカバーの先端部から外部に突出し、この状態で注射筒をカバー及びプランジャに対して押し込み操作することによって薬液の投与を行うことが可能となる。
【０００５】
また、カバーは、軸方向に若干量相対移動可能な第１カバー部材（円筒状本体部）と第２カバー部材（セーフティカバー）とからなり、投与終了後に、注射筒をさらに強く押し込み操作することで第１及び第２カバー部材を軸方向に伸長可能となっている。第１及び第２カバー部材が伸長すると、スプリングホルダーの係止片が破断してコイルスプリングが解放され、該コイルスプリングの付勢力によってカバーを注射針に対して先端側に軸方向移動させることで注射針がカバー内に収納されるように構成されている。
【発明の概要】
【発明が解決しようとする課題】
【０００６】
しかし、上記従来の注射器の構造では、投与中に注射筒を瞬間的に強く押し込むと、その強い押し込み力がスプリングホルダーの係止片にも伝達され、投与途中であるにもかかわらず係止片が破断してしまうおそれがある。
【課題を解決するための手段】
【０００７】
本発明は、
先端側が開口されるとともにその内部空間に薬液が充填される注射筒と、
前記薬液を密封するように前記注射筒に嵌着されるガスケットと、
少なくとも薬液投与時に前記ガスケットを貫通する基端部を有する注射針と、
前記ガスケットに取り付けられるとともに前記注射針を保持するプランジャと、
内部に前記注射針の先端部を収容する収納位置と、先端部から前記注射針の先端部が突出する投与位置との間で、前記注射針に対して軸方向に移動可能なカバーと、
前記カバーを前記収納位置に向けて付勢するためのコイルスプリングと、
該コイルスプリングを圧縮状態で保持するためのスプリングホルダーとを備え、
該スプリングホルダーは、前記カバーに軸方向に係止する係止片を有し、該係止片が前記カバーに軸方向に係止している前記スプリングホルダーと前記カバーとの間に圧縮状態で前記コイルスプリングが保持され、薬液の投与終了後に前記注射筒を前記カバーに対して先端側に押し込むことにより前記係止片と前記カバーとの係止が解除されて前記コイルスプリングが解放され、該コイルスプリングにより前記カバーが前記収納位置に向けて付勢される注射器において、
薬液投与中にコイルスプリングが解放されてしまうことのないスプリングホルダーの新規な係止構造を提案するものである。
【０００８】
すなわち、本発明の注射器は、前記スプリングホルダーは、薬液の投与終了後に前記注射筒を前記カバーに対して先端側に押し込むことにより前記係止片が前記カバーに係止している係止位置から前記カバーに対して先端側に移動可能に構成され、前記カバーの内面には、前記スプリングホルダーが前記係止位置から前記カバーに対して先端側に移動すると前記カバーに対して係止しないように前記係止片を径方向に変形させる案内面が設けられていることを特徴とする。
【０００９】
かかる本発明の注射器によれば、薬液の投与中に前記スプリングホルダーに押し込み操作力が作用せず、前記カバーに対する前記係止片の係止が不慮に外れてしまうことがない。薬液の投与終了後、注射筒をさらに先端側に強く押し込むと、スプリングホルダーが係止位置から先端側に僅かに移動し、この移動に伴って係止片が案内面に案内されて径方向に変形させられ、かかる変形後は前記カバーに対して係止しなくなり、これによりコイルスプリングが解放される。その後注射筒の押し込み操作を止めると、解放されたコイルスプリングによってカバーが収納位置に向けて付勢され、注射針がカバー内に収納される。
【００１０】
上記本発明の注射器において、前記カバーは、前記注射筒に外嵌される円筒状本体部と、該円筒状本体部の先端部から径方向内方に延びる内向きフランジ部とを一体に備え、前記円筒状本体部は先端側に向く係止面を有し、前記スプリングホルダーは前記円筒状本体部の内周側且つ前記内向きフランジ部の後方に設けられ、前記スプリングホルダーの後端面と前記注射筒の先端面とは薬液の投与終了時に当接するよう軸方向に対向しており、前記コイルスプリングは前記内向きフランジ部と前記スプリングホルダーとの間に設けられ、前記係止片は、前記円筒状本体部の前記係止面に先端側から係止可能であるとともに、径方向内方に変形することで前記円筒状本体部の係止面に係止しなくなるよう構成できる。かかる構成によれば、薬液の投与終了後に注射筒をさらに押し込み操作することで、この注射筒によってスプリングホルダーが係止位置から先端側に押し込まれる。すると、係止片が案内面に当接案内されて径方向内方に変形し、これにより係止片が係止面に係止しなくなってコイルスプリングが解放される。
【発明の効果】
【００１１】
本発明の注射器によれば、薬液の投与途中における押し込み操作力がスプリングホルダーの係止片に作用せず、投与途中で不慮にコイルスプリングが解放されてしまうことのない新規な係合構造を簡単な構成で実現できる。
【図面の簡単な説明】
【００１２】
【図１】本発明の一実施形態に係る注射器の作用説明図であって、（ａ）は保管時の初期状態の縦断面図、（ｂ）は投与開始時の縦断面図、（ｃ）は投与終了時の縦断面図、（ｄ）は投与終了後の針収納状態の縦断面図である。
【図２】同注射器のスプリングホルダーの拡大斜視図である。
【発明を実施するための形態】
【００１３】
以下、本発明の好適な実施の形態を図面に基づいて説明する。
【００１４】
図１は本発明の一実施形態に係る注射器１の投与操作過程の断面図を示しており、特に、各縦断面図の左半分はスプリングホルダー１７の係止片１７ｂが存在する部分の縦断面を示し、一方、右半分はスプリングホルダー１７の弾性係合片１７ｃが存在する部分の縦断面を示している。また、本実施形態の注射器１は、上記特許文献２に開示した注射器とは、スプリングホルダーの係止片の係止構造以外はほぼ同一であるため、特許文献２の明細書及び図面をここに引用し、同符号を付して以下説明する。
【００１５】
本実施形態の注射器１は、透明乃至半透明のガラス製乃至合成樹脂製の有底筒状の注射筒２と、該注射筒２内に軸方向移動可能に先端開口部から打栓されたガスケット３と、該ガスケット３を注射筒２に対して基端側へ押し込むためのプランジャ４と、該プランジャ４に軸方向移動可能に取り付けられた両頭針からなる注射針５と、該注射針５の外周を覆うカバー６とを備えており、これら構成部品は同一軸心上に配設されている。ガスケット３はゴムなどの弾性材料から構成されている。
【００１６】
カバー６は、指掛け用フランジ６ａが軸方向中途部外周に一体に設けられた円筒状の第１カバー部材１４（円筒状本体部）と、該第１カバー部材１４の先端部に一体的に取付固定された第２カバー部材１５とを備えている。第１カバー部材１４内には、基端側から注射筒２が軸方向移動可能に挿入される。
【００１７】
第２カバー部材１５は、第１カバー部材１４に外嵌する円筒状部と、該円筒状部の先端部から径方向内方に延びる内向きフランジ部１５ｂとを一体に備え、この内向きフランジ部１５ｂの軸中央部には、注射針５の先端針部５ｂが出没自在な針収納孔１５ａが設けられている。
【００１８】
カバー６の内部には、コイルスプリング１６と、該スプリング１６を軸方向に圧縮した状態で保持するためのスプリングホルダー１７とが配設されている。スプリングホルダー１７は、図２にも示すように、注射筒２の先端開口部の口上面（先端面）に軸方向に対向配置されたリング部１７ａと、第１カバー部材１４の先端面（係止面）に先端側から係止する係止片１７ｂとを備えている。この係止片１７ｂの先端側外周部は、後述する案内面Ｓによる案内が円滑に行われるように傾斜面として形成され、これにより係止片１７ｂの径方向内方への変形がより確実に行われるようになっている。
【００１９】
より詳細には、係止片１７ｂは直径方向に対向して一対設けられている。各係止片１７ｂは折り曲げ部ｆを介してリング部１７ａに一体成形されているとともに、第１カバー部材１４の先端面（係止面）に先端側から係止する係止爪部を有している。スプリングホルダー１７は、そのリング部１７ａが第１カバー部材１４の内周側で且つ内向きフランジ部１５ｂの後方に配設されるとともに、係止位置（すなわち、係止片１７ｂが第１カバー部材１４の先端面に係止するときのカバー６に対するスプリングホルダー１７の位置）からカバー６に対して軸方向先端側に微少量移動可能に構成されている。
【００２０】
スプリングホルダー１７のリング部１７ａの後端面と注射筒２の先端面とは、図１（ｃ）に示すように、薬液の投与終了時に当接するよう軸方向に対向している。コイルスプリング１６は、内向きフランジ部１５ｂとリング部１７ａとの間に設けられている。
【００２１】
薬液の投与終了時点、すなわち、ガスケット３が注射筒２の底面に接触した時点では、
スプリングホルダー１７の係止片１７ｂは第１カバー部材１４の先端面にまだ係合しており、また、注射筒２の先端面とスプリングホルダー１７のリング部１７ａの後端面とが当接する。薬液の投与終了後にコイルスプリング１６の付勢力に抗して注射筒２をカバー６に対してさらに先端側に強く押し込むと、ガスケット３が僅かに弾性変形することで、図１（ｃ）に示すように、注射筒２によってスプリングホルダー１７がカバー６に対して僅かに軸方向先端側に移動する。このとき、スプリングホルダー１７の係止片１７ｂは、内向きフランジ部１５ｂの後側面の周縁部に設けられたテーパー状案内面Ｓによって径方向内方に案内され、これにより係止片１７ｂは第１カバー部材１４の先端面に対して係止しなくなるように径方向内方に変形し、第１カバー部材１４の先端面への係止片１７ｂの係止が外れてコイルスプリング１６が解放される。
【００２２】
そして、注射筒２の押し込み操作を止めると、該コイルスプリング１６の付勢力によって図１（ｄ）に示すように注射筒２に対してカバー６が軸方向先端側に移動し、これによりカバー６内に注射針５の先端針部５ｂが収容される。
【００２３】
なお、図２に示すように、リング部１７ａの外周には周方向所定部位（図示例では係止片１７ｂと同じ位置）に凸部１８が設けられ、第１カバー部材１４の内周面には、凸部１８が軸方向に摺動可能な案内溝部１９が軸方向に沿って延設されており、これによりスプリングホルダー１７はカバー６内に軸方向移動可能でかつ相対回転不能に保持されている。
【００２４】
第１カバー部材１４の内面には、さらに、上記特許文献２にも示されるように、軸方向に沿って延びる複数の係合溝（上記特許文献２における符号２０）が周方向所定位置にそれぞれ設けられており、各係合溝内には第１係合凹部２１と第２係合凹部２２とが軸方向に離間して設けられている。各係合凹部２１，２２は貫通孔として形成できる。一方、リング部１７ａの外周には、第１係合凹部２１内に位置付けられる弾性係合片１７ｃが設けられている。該係合片１７ｃは、各係合溝に対応して周方向に複数設けられている。各係合片１７ｃは、その基端部がリング部１７ａの基端部に接続され、先端側が径方向に拡縮可能である。係合片１７ｃの先端部には係合段部が設けられ、係合片１７ｃの外側面は基端側に向かうにしたがって徐々に小径となる傾斜面とされている。係合片１７ｃの係合段部が各係合凹部２１，２２の先端側側縁に係合すると該リング部１７ａに対して第１カバー部材１４が基端側へ移動することを阻止する一方、リング部１７ａが第１カバー部材１４に対して基端側へ移動すると、上記傾斜面によって案内されて係合片１７ｃが弾性的に径方向内方へ変形し、係合片１７ｃが係合溝に案内されながらスプリングホルダー１７が第１カバー部材１４に対して基端側へスライド可能である。但し、係合片１７ｃが第２係合凹部２２に係合された位置からリング部１７ａが第１カバー部材１４に対して基端側へ移動することは、注射筒２、ガスケット３、プランジャ４及び第２カバー部材１５を介して阻止される。
【００２５】
注射筒２内には無菌室において予め所定量の薬液が充填され、該薬液を密封するようにガスケット３が注射筒２に打栓されている。注射筒２の底壁の中央部には小さな窪み２ａが設けられている。なお、上記特許文献１に開示した注射器では注射筒の基端部にエンドキャップを取り付けたが、本実施形態に係る注射器では部品点数削減のためにエンドキャップを設けずに、注射筒の基端部自体を軸方向に延設している。また、上記特許文献１に開示した注射器では注射筒の先端開口部にストッパを取り付けていたが、該ストッパも本実施形態では設けていない。
【００２６】
注射針５は、柱状の針基５ａと、該針基５ａを軸方向に貫通する針管とを備えている。該針管は針基５ａの軸方向両端から突出されており、先端側に突出する部分によって先端針部５ｂが構成され、基端側に突出する部分によって基端針部５ｃが構成されている。各針部５ｂ，５ｃの先端には鋭利にカットされた刃先が設けられている。
【００２７】
ガスケット３は、プランジャ４の基端部に気密状に外嵌されている。また、ガスケット３の軸中央部は、注射針５の基端針部５ｃを容易に突き刺せるように薄肉に形成されている。図１（ａ）に示すように、投与前の保管時は注射針５の基端針部５ｃはガスケット３から軸方向先端側に離反されている。
【００２８】
プランジャ４は、軸方向に貫通する中空筒状に構成されており、このプランジャ４に上記注射針５が保持されている。
【００２９】
プランジャ４と、注射針５と、カバー６とは、不慮乃至不注意な操作を阻止して注射針５による事故発生を未然防止する安全操作機構を構成している。この安全操作機構の詳細については上記特許文献２の明細書及び図面を参照されたい。以下、安全操作機構についてその要点を特許文献２より引用しておく。
【００３０】
カバー６に一体的に設けられ且つ針基５ａに先端側から外嵌されて注射針５を保持する一対の第１弾性係合片１１と、プランジャ４に一体的に設けられ且つ針基５ａに基端側から外嵌されて注射針５を保持する一対の第２弾性係合片１２とを備えている。各弾性係合片１１，１２は円弧状の横断面形状を有する柱状に構成されている。一対の第１弾性係合片１１は周方向に離間して配設され、特に本実施形態では直径方向に対向配置されている。同様に、一対の第２弾性係合片１２も周方向に離間して配設され、直径方向に対向配置されている。
【００３１】
これら第１及び第２の弾性係合片１１，１２は、注射器１の保管時においては、相互に軸方向に整列され、第１弾性係合片１１の基端面と第２弾性係合片１２の先端面とが互いに突き合わせられており、これにより第１及び第２の弾性係合片１１，１２の全長が注射針５の全長よりも大きくされた延長状態でロックし、かかるロック位置のカバー６に対してプランジャ４を先端側へ押し込み操作できないようになっている。かかる延長状態では、注射針５の先端針部５ｂはカバー６内に収容されている。一方、プランジャ４に対してカバー６を９０°相対回転させると、各第１弾性係合片１１同士の間の複数のスペースに複数の第２弾性係合片１２がそれぞれ対向し、第１及び第２弾性係合片１１，１２が周方向に互い違いに配置される状態となり、かかる解除位置のカバー６に対してプランジャ４を先端側に押し込むことによって、複数の第１弾性係合片１１と複数の第２弾性係合片１２とが交互に嵌合し、カバー６及びプランジャ４の全長を縮小させることが可能である。このようにカバー６とプランジャ４とを軸方向に縮小させると、注射針５の基端針部５ｃがガスケット３を貫通するとともに先端針部５ｂがカバー６の針収納孔１５ａから先端側に突出するようになっている。
【００３２】
第１弾性係合片１１は、カバー６の第２カバー部材１５の内向きフランジ部１５ｂに一体に設けられ、内向きフランジ部１５ｂの裏面から基端側（図において下側）に向けて延設されており、各弾性係合片１１は、その基端部（下端部）が拡径するよう弾性変形可能である。一方、第２弾性係合片１２は、プランジャ４の軸方向中途部から先端側（上側）に向けて延設されており、各弾性係合片１２は、その先端部（上端部）が拡径するよう弾性変形可能である。第１弾性係合片１１は、第２弾性係合片１２よりも大きな軸長を有している。
【００３３】
また、注射針５の針基５ａは、保管時に第１弾性係合片１１が外嵌される先端側の第１軸部と、第２弾性係合片１２が外嵌される基端側の第２軸部と、これら第１軸部と第２軸部の間に設けられた小径軸部とを備えている。
【００３４】
第１軸部の外周面には、第１弾性係合片１１が第１軸部に対して約９０度の範囲で相対回転することを許容するが約９０度を超える相対回転を阻止するように第１弾性係合片１１の周方向縁部に当接する規制リブと、第１軸部の軸方向全長に亘る溝部とが、それぞれ直径方向に対向して一対設けられている。また、第２軸部の外周面には、第２弾性係合片１２が第２軸部に対して相対回転することを阻止するように第２弾性係合片１２の周方向縁部に当接する規制リブが周方向４カ所に設けられているとともに、第２軸部の軸方向全長に亘る溝部が、直径方向に対向して一対設けられている。上記２つの溝部は周方向にずれた位置に設けられている。第１弾性係合片１１の基端部の内面には、凸部からなるキーが設けられており、第２弾性係合片１２の先端部の内面には、凸部からなるキーが設けられている。
【００３５】
保管時の初期状態では、各キーは小径軸部の周囲に位置し、第１弾性係合片１１のキーは小径軸部と第１軸部との間の段部に軸方向に係合し、第２弾性係合片１２のキーは小径軸部と第２軸部との間の段部に軸方向に係合して、これにより第１及び第２弾性係合片１１，１２に対する注射針５の軸方向移動を阻止している。第２弾性係合片１２のキーは保管時から第１軸部の溝部に軸方向に対向した位置にあり、第１弾性係合片１１を約９０度回転させることによって、第２弾性係合片１２が注射針５に対して先端側へ移動可能となり、このときキーは溝部内を軸方向移動する。一方、第１弾性係合片１１のキーは、保管時においては第２軸部の溝部に対して約９０度の相対位置にある。第１弾性係合片１１を注射針５に対して約９０度相対回転すると、キーが溝部に軸方向に対向した位置となり、第１弾性係合片１１に対して注射針５が先端側へ相対的に移動可能となり、このときキーは溝部内を軸方向に移動する。
【００３６】
また、初期状態からカバー６を注射筒２に対して約９０度回転して押し込んでいくと、注射針５に対して第１弾性係合片１１が軸方向に押し込まれる結果、注射針５の先端針部５ｂがカバー６の針収納孔１５ａから突出されるが、このとき第１軸部の規制リブの先端部が針収納孔１５ａの周囲でカバー６の天板に軸方向に当接し、これにより注射針５をガスケット３に向けて強制的に基端側へ押し込み可能となっている。
【００３７】
保管時の初期状態から不慮にプランジャ４に対してカバー６が相対回転してしまうことを防止するために、注射針５の針基５ａの小径軸部の外周面に凸部を設けている。カバー６がロック位置から解除位置まで回転する際、各第１弾性係合片１１が僅かに拡径変形してキーが凸部を乗り越える。このときの回転動作に対する抵抗によって、不慮にカバー６が回転してしまうことを防止できる。
【００３８】
また、本実施形態では、プランジャ４に、円筒状の変形阻止部を一体成形している。この変形阻止部は、第２弾性係合片１２よりも先端側に設けられ、保管時の初期状態において複数の第１弾性係合片１１に外嵌され、これにより第１弾性係合片１１が拡径変形して第１弾性係合片１１のキーと注射針５の上記段部との係合が解除されることを阻止する。変形阻止部は円筒状であるため、一対の第１弾性係合片１１が変形阻止部に対して回転しても、常時、変形阻止部は第１弾性係合片１１の拡径変形を阻止することができる。なお、凸部を乗り越えるための第１弾性係合片１１の若干の拡径変形は許容するよう、一対の第１弾性係合片１１の外径よりも変形阻止部の内径は僅かに大径に構成されている。
【００３９】
カバー６に対してプランジャ４を先端側に押し込んだとき、変形阻止部の先端部がカバー６の内向きフランジ部１５ｂに突き当たるため、第２弾性係合片１２と内向きフランジ部１５ｂとは変形阻止部の軸長分だけ離間する。本実施形態では、一対の第１弾性係合片１１の間で内向きフランジ部１５ｂから軸方向基端側に向けて変形阻止部とほぼ同じ軸長を有する一対の保持片を延設させている。この保持片は第１弾性係合片１１とほぼ同じ横断面形状を有し、保持片と第１弾性係合片１１とが周方向に僅かに離間して交互に配置されている。第２弾性係合片１２が嵌合するための上記スペースは、保持片の基端側に設けられる。
【００４０】
この保持片は、第１及び第２の弾性係合片１１，１２が伸長状態にあるときは、針基５ａの先端部外周面に外嵌するが、規制リブの先端部よりも先端側に位置するため、注射針５に対してカバー６を相対回転させることが可能である。このとき、注射針５はカバー６に２つの第１弾性係合片１１及び２つの保持片により４点支持されるため、注射針５の保持姿勢を安定させることができる。一方、保管時の初期状態からカバー６を９０度回転操作した後、カバー６に対してプランジャ４を押し込むと、注射針５がカバー６に対して先端側へ軸方向移動し、規制リブは各保持片と第１弾性係合片１１との間のスリット内を軸方向に摺動する。このとき、上記の４点支持に加えて、規制リブと上記スリットとの嵌合によって、注射針５の保持姿勢を一層安定させ、これにより注射針５の突出操作を一層スムースに行えるようになる。
【００４１】
また、変形阻止部は、カバー６の第１カバー部材１４によってその外周側が覆われている。変形阻止部の軸方向一部の直径方向両側部には該直径方向に直交する方向に貫通する構造の凹部が設けられている。好ましくは、凹部は、変形阻止部を径方向に貫通する貫通孔の周方向縁部を上記直交方向に沿う平坦面とすることにより構成できる。一方、第１カバー部材１４には、ロック位置にあるときに凹部にその貫通方向に対向し且つ解除位置にあるときに変形阻止部に対向する覗き窓が設けられている。この覗き窓は、２つの凹部のそれぞれ貫通方向の両側に計４つ設けられている。
【００４２】
プランジャ４を、他の構成部品とは異なる目立つ色、例えば赤色などにしておくことにより、カバー６がロック位置にあるときは覗き窓から赤色部分が殆ど見えない一方、カバー６を回転操作して解除位置になると、覗き窓が赤色で埋め尽くされるようになる。したがって、変形阻止部がインジケータとして機能し、現在のカバー６の状態を目視により一目で判別できるようにしている。
【００４３】
本発明は、上記実施形態に限定されるものではなく、適宜設計変更できる。
【図１】
2019005399.tif 000003
【図２】
2019005399.tif 000004